(57)【要約】  固定筐体とこの固定筐体に対して所定距離スライド可能な可動筐体の対向面に設けられるスライドアシスト装置を、伸び縮み可能な柱状の弾性体、弾性体の両端に揺動可能に取り付けた横幅が大きい駒部材、固定筐体のスライド面に突設した突条、及び移動筐体のスライド面に突設した突条とから構成し、弾性体を伸ばすか縮めて固定筐体側突条と移動筐体側突条の隙間に挿入し、駒部材の一方を固定筐体側突条の係止部に係止させ、他方を移動筐体側突条の係止部に係止させ、固定筐体と可動筐体が重なり合った状態とスライドした状態では、同じ駒部材に対してこれを係止する固定筐体側突条の係止部と移動筐体側突条の係止部が入れ替わるようにしたものである。
2012132000.tif 000002
【特許請求の範囲】
【請求項１】
固定筐体と該固定筐体に対して所定の軸線に沿って所定距離スライド可能な可動筐体の対向面に設けられるスライドアシスト装置であって、該スライドアシスト装置は、
伸び縮みが可能な柱状の弾性体、
前記弾性体の両端部にそれぞれ揺動可能に取り付けられた、前記弾性体の横幅よりも大きな横幅を備えた駒部材、
前記固定筐体の前記対向面に突設され、前記軸線方向に延伸された所定長さを備えると共に、両端側に前記駒部材の係止部を備える固定筐体側突条、及び
前記移動筐体の前記対向面に突設され、前記軸線方向に延伸された所定長さを備えると共に、両端側に前記駒部材の係止部を備える移動筐体側突条を備えており、
前記固定筐体側突条と前記移動筐体側突条は、前記柱状の弾性体を収容可能な隙間を有して前記固定筐体と移動筐体に配置され、
前記弾性体は前記固定筐体側突条と前記移動筐体側突条の前記隙間に挿入され、前記弾性体の前記隙間への挿入状態で、前記弾性体の両端部にそれぞれ位置する前記駒部材は、一方が前記固定筐体側突条の前記係止部に係止され、他方が前記移動筐体側突条の前記係止部に係止され、前記係止部に対して前記弾性体側に引っ張る吸引力と前記弾性体側から離れる方向に押す押圧力の何れか一方の付勢力を作用させており、
前記固定筐体と前記可動筐体が重なり合った状態と、前記固定筐体に対して前記可動筐体が前記所定距離スライドした状態では、同じ駒部材に対してこれを係止する前記固定筐体側突条の前記係止部と前記移動筐体側突条の前記係止部が入れ替わることを特徴とするスライドアシスト装置。
【請求項２】
請求項１に記載のスライドアシスト装置であって、
前記弾性体が引っ張りばねであり、
前記固定筐体側突条と前記移動筐体側突条のそれぞれの両端側に設けられた前記駒部材の係止部が、前記固定筐体側突条と前記移動筐体側突条のそれぞれの両端面であることを特徴とするスライドアシスト装置。
【請求項３】
請求項１に記載のスライドアシスト装置であって、
前記弾性体が圧縮ばねであり、
前記固定筐体側突条と前記移動筐体側突条のそれぞれの両端側に設けられた前記駒部材の係止部が、前記固定筐体側突条と前記移動筐体側突条の対向面をそれぞれ窪ませて設けた凹部であることを特徴とするスライドアシスト装置。
【請求項４】
請求項１又は２に記載のスライドアシスト装置であって、
前記固定筐体側突条と前記移動筐体側突条とが同じ長さを有することを特徴とするスライドアシスト装置。
【請求項５】
請求項１又は２に記載のスライドアシスト装置であって、
前記固定筐体側突条と前記移動筐体側突条の全長が異なることを特徴とするスライドアシスト装置。
【請求項６】
請求項３又は４に記載のスライドアシスト装置であって、
前記駒部材が円板状部材と球状部材の何れか一方であり、前記ばねの両端部に設けられるフック部が、円板状部材又は球状部材中心点から外れた位置に接続されていることを特徴とするスライドアシスト装置。
【請求項７】
請求項１から６の何れか１項に記載のスライドアシスト装置であって、
前記所定の軸線が直線状であることを特徴とするスライドアシスト装置。
【請求項８】
請求項１から６の何れか１項に記載のスライドアシスト装置であって、
前記所定の軸線が円弧状であることを特徴とするスライドアシスト装置。
【請求項９】
請求項７又は８に記載のスライドアシスト装置であって、
前記固定筐体と前記可動筐体とは、スライドレールと、該スライドレール上を摺動して移動するスライドガイドによってスライドするように構成され、
前記固定筐体側突条と前記移動筐体側突条の何れか一方が、前記スライドガイドとして兼用されることを特徴とするスライドアシスト装置。
【請求項１０】
請求項７又は８に記載のスライドアシスト装置であって、
前記固定筐体側突条と前記移動筐体側突条の何れか一方が、前記対向面に形成された溝内に、前記対抗面に平行な方向に突出して設けられており、前記固定筐体側突条と前記移動筐体側突条の何れか他方が、前記溝内に突出して設けられていることを特徴とするスライドアシスト装置。
【請求項１１】
請求項９又は１０に記載のスライドアシスト装置であって、
前記固定筐体と前記可動筐体が、携帯通信機器の操作ボタンを備えたキーボード部と表示スクリーンを備えたディスプレイ部であることを特徴とするスライドアシスト装置。
【請求項１２】
請求項９又は１０に記載のスライドアシスト装置であって、
前記固定筐体と前記可動筐体が、什器の本体と什器から引き出される引き出しであることを特徴とするスライドアシスト装置。
【請求項１３】
請求項９又は１０に記載のスライドアシスト装置であって、
前記固定筐体と前記可動筐体が、サーバーを収容するラックに取り付けられた２本のスライドレールのアウタレールとインナレールであることを特徴とするスライドアシスト装置。
【請求項１４】
筒状の固定筐体と、該筒状の固定筐体の軸線方向に対して、横幅が段階的に小さくなって多段に渡って所定距離ずつスライド可能な複数の可動筐体の、各筐体の対向面にそれぞれ設けられるスライドアシスト装置であって、各スライドアシスト装置は、
伸び縮みが可能な柱状の弾性体、
前記弾性体の両端部にそれぞれ揺動可能に取り付けられた、前記弾性体の横幅よりも大きな横幅を備えた駒部材、
隣接する２つの筐体の一方の前記対向面に突設され、前記軸線方向に延伸された所定長さを備えると共に、両端側に前記駒部材の係止部を備える第１の突条、及び
隣接する２つの筐体の他方の前記対向面に突設され、前記軸線方向に延伸された所定長さを備えると共に、両端側に前記駒部材の係止部を備える第２の突条を備えており、
前記第１の突条と前記第２の突条は、前記柱状の弾性体を収容可能な隙間を有して前記隣接する２つの筐体に配置され、
前記弾性体は前記第１の突条と前記第２の突条の前記隙間に挿入され、前記弾性体の前記隙間への挿入状態で、前記弾性体の両端部にそれぞれ位置する前記駒部材は、一方が前記第１の突条の前記係止部に係止され、他方が前記第２の突条の前記係止部に係止され、前記係止部に対して前記弾性体側に引っ張る吸引力と前記弾性体側から離れる方向に押す押圧力の何れか一方の付勢力を作用させており、
前記隣接する２つの筐体が重なり合った状態と、前記所定距離スライドした状態では、同じ駒部材に対してこれを係止する前記第１の突条の前記係止部と前記第２の突条の前記係止部が入れ替わることを特徴とするスライドアシスト装置。
【請求項１５】
請求項１４に記載のスライドアシスト装置であって、
前記弾性体が引っ張りばねであり、
前記第１の突条と前記第２の突条のそれぞれの両端側に設けられた前記駒部材の係止部が、前記第１の突条と前記第２の突条のそれぞれの両端面であることを特徴とするスライドアシスト装置。
【請求項１６】
請求項１４に記載のスライドアシスト装置であって、
前記弾性体が圧縮ばねであり、
前記第１の突条と前記第２の突条のそれぞれの両端側に設けられた前記駒部材の係止部が、前記第１の突条と前記第２の突条の対向面をそれぞれ窪ませて設けた凹部であることを特徴とするスライドアシスト装置。
【請求項１７】
操作ボタンを備えたキーボード部と表示スクリーンを備えたディスプレイ部とを備え、前記キーボード部に対して前記ディスプレイ部が所定の軸線に沿って所定距離スライド又は旋回可能な携帯端末において、前記キーボード部と前記ディスプレイ部とのスライド機構又は旋回機構にスライドアシスト機構を設け、該スライドアシスト機構を、
伸び縮みが可能な柱状の弾性体、
前記弾性体の両端部にそれぞれ揺動可能に取り付けられた、前記弾性体の横幅よりも大きな横幅を備えた駒部材、
前記キーボード部の前記ディスプレイ部との対向面に突設され、前記軸線方向に延伸された所定長さを備えると共に、両端側に前記駒部材の係止部を備えるキーボード部側突条、及び
前記ディスプレイ部の前記キーボード部との対向面に突設され、前記軸線方向に延伸された所定長さを備えると共に、両端側に前記駒部材の係止部を備えるディスプレイ部側突条を備えて構成し、
前記キーボード部側突条と前記ディスプレイ部側突条は、前記柱状の弾性体を収容可能な隙間を有して前記キーボード部とディスプレイ部に配置され、
前記弾性体は前記キーボード部側突条と前記ディスプレイ部側突条の前記隙間に挿入され、前記弾性体の前記隙間への挿入状態で、前記弾性体の両端部にそれぞれ位置する前記駒部材は、一方が前記キーボード部側突条の前記係止部に係止され、他方が前記ディスプレイ部側突条の前記係止部に係止され、前記係止部に対して前記弾性体側に引っ張る吸引力と前記弾性体側から離れる方向に押す押圧力の何れか一方の付勢力を作用させており、
前記キーボード部と前記ディスプレイ部が重なり合った状態と、前記キーボード部に対して前記ディスプレイ部が前記所定距離スライドした状態では、同じ駒部材に対してこれを係止する前記キーボード部側突条の前記係止部と前記ディスプレイ部側突条の前記係止部が入れ替わるようにしたことを特徴とする携帯端末。
【請求項１８】
請求項１７に記載の携帯端末であって、
前記スライド機構が、スライドレールと、該スライドレール上を摺動して移動するスライドガイドを備えて構成され、
前記キーボード部側突条と前記ディスプレイ側突条の何れか一方が、前記スライドガイドとして兼用されることを特徴とする携帯端末。
【請求項１９】
請求項１７に記載の携帯端末であって、
前記キーボード側突条と前記ディスプレイ側突条の何れか一方が、前記対向面に形成された溝内に、前記対抗面に平行な方向に突出して設けられており、前記キーボード側突条と前記ディスプレイ側突条の何れか他方が、前記溝内に突出して設けられていることを特徴とする携帯端末。
【発明の詳細な説明】
【技術分野】
【０００１】
本出願はスライドアシスト装置に関する。以下に説明される実施の形態では、２つのスライド可能部材やスライド可能筐体を外力を加えてスライドさせる時に、外力をアシストしてスライドを容易にすることができる、弾性体を備えた可動機構を備えるスライドアシスト装置が説明される。また、本出願のスライドアシスト装置を備えた製品として、特に、スライド式の端末装置と携帯電話が説明される。
【背景技術】
【０００２】
近年、携帯電話等の情報端末の小型、薄型化に伴い、携帯性、操作性、表示の見やすさを良くする理由で、キーボード部等の固定部に対し、ディスプレイ部等の可動部をスライド、或いは回転させる製品が多い。このような情報端末において相対的に位置が変わる２つの筐体、例えばディスプレイ側筐体とキーボード側筐体を、スライド移動または回転移動させる場合、操作の快適性のため、２つの筐体の移動両端付近で移動終了位置に近づく方向のアシスト力が求められる。【０００３】
このようなアシスト力を与えるものとして、スライド式携帯電話の開閉に対する摺動機構が特許文献１に示されている。特許文献１に開示のアシストばね機構は、固定側と可動側に回転自由度を持つ端を両端とする圧縮ばねを筐体に取り付け、スライドガイドに沿って筐体を開閉させる時に、圧縮ばねを圧縮させると同時に旋回させてアシスト力を作用させていた（図１）。【０００４】
また、ベース部材に対して可動体を引込位置と引出位置の間で移動させる機構において、可動体を移動の途中位置からばねの付勢力によって自動的に引込位置と引出位置の何れかの位置にスライドさせるものが特許文献２に開示されている。特許文献２が対象とするベース部材と可動体は、収納家具などの本体と本体から引き出される引き出しであり、本体と引き出しの間にスライドアシスト装置が設けられているものであった。
【先行技術文献】
【特許文献】
【０００５】
【特許文献１】特表２００８−５０１２８８号公報
【０００６】
【特許文献２】特開２００６−２６３３２号公報
【発明の概要】
【発明が解決しようとする課題】
【０００７】
しかしながら、特許文献１に開示のアシストばね機構は、圧縮ばねが旋回する範囲の筐体には他の部品を配置することができず、筐体に無駄な空間が生じて装置の更なる薄型化と小型化を困難にしていた。また、特許参考文献２では、ベース部材に対して可動体を旋回させずに直線的に移動させているが、構造が複雑で小型化に限界があり、携帯電話等の小型のものには不向きであった。【０００８】
そこで本出願は、２つの相対的にスライドする物体のスライド方向の軸線に沿った少数の部品の動きのみで、スライド時にアシスト力を発生させることができ、占有空間が小さく、装置の薄型化が可能なスライドアシスト装置を提供することを第１の目的とする。また、多段にスライドする伸縮ロッドにおけるスライドアシスト装置を提供することを第２の目的とする。更に、キーボード部とディスプレイ部がスライドする端末装置のスライド機構をアシストするスライドアシスト装置を備えた端末装置を提供することを第３の目的とする。
【課題を解決するための手段】
【０００９】
前記第１の目的を達成する本出願のスライドアシスト装置は、固定筐体と固定筐体に対して所定の軸線に沿って所定距離スライド可能な可動筐体の対向面に設けられるスライドアシスト装置であって、スライドアシスト装置を、伸び縮みが可能な柱状の弾性体、弾性体の両端部にそれぞれ揺動可能に取り付けられた、弾性体の横幅よりも大きな横幅を備えた駒部材、固定筐体の対向面に突設され、軸線方向に延伸された所定長さを備えると共に、両端側に駒部材の係止部を備える固定筐体側突条、及び移動筐体の対向面に突設され、軸線方向に延伸された所定長さを備えると共に、両端側に駒部材の係止部を備える移動筐体側突条を備えて構成し、固定筐体側突条と移動筐体側突条は、柱状の弾性体を収容可能な隙間を有して固定筐体と移動筐体に配置し、弾性体は固定筐体側突条と移動筐体側突条の隙間に挿入し、弾性体の隙間への挿入状態で、弾性体の両端部にそれぞれ位置する駒部材を、一方を固定筐体側突条の係止部に係止させ、他方を移動筐体側突条の係止部に係止させ、係止部に対して弾性体側に引っ張る吸引力と弾性体側から離れる方向に押す押圧力の何れか一方の付勢力を作用させ、固定筐体と可動筐体が重なり合った状態と、固定筐体に対して可動筐体が所定距離スライドした状態では、同じ駒部材に対してこれを係止する固定筐体側突条の係止部と移動筐体側突条の係止部が入れ替わるようにしたことを特徴とするものである。【００１０】
また、前記第２の目的を達成する本出願のスライドアシスト装置は、筒状の固定筐体と、筒状の固定筐体の軸線方向に対して、横幅が段階的に小さくなって多段に渡って所定距離ずつスライド可能な複数の可動筐体の、各筐体の対向面にそれぞれ設けられるスライドアシスト装置であって、各スライドアシスト装置を、伸び縮みが可能な柱状の弾性体、弾性体の両端部にそれぞれ揺動可能に取り付けられ、弾性体の横幅よりも大きな横幅を備えた駒部材、隣接する２つの筐体の一方の対向面に突設され、軸線方向に延伸された所定長さを備えると共に、両端側に駒部材の係止部を備える第１の突条、及び隣接する２つの筐体の他方の対向面に突設され、軸線方向に延伸された所定長さを備えると共に、両端側に駒部材の係止部を備える第２の突条を備えて構成し、第１の突条と第２の突条は、柱状の弾性体を収容可能な隙間を有して隣接する２つの筐体に配置し、弾性体を第１の突条と第２の突条の隙間に挿入し、弾性体の隙間への挿入状態で、弾性体の両端部にそれぞれ位置する駒部材を、一方を第１の突条の係止部に係止させ、他方を第２の突条の係止部に係止させ、係止部に対して弾性体側に引っ張る吸引力と弾性体側から離れる方向に押す押圧力の何れか一方の付勢力を作用させ、隣接する２つの筐体が重なり合った状態と、所定距離スライドした状態では、同じ駒部材に対してこれを係止する第１の突条の係止部と第２の突条の係止部が入れ替わるようにしたことを特徴とするものである。【００１１】
更に、前記第３の目的を達成する本出願の端末装置は、操作ボタンを備えたキーボード部と表示スクリーンを備えたディスプレイ部とを備え、キーボード部に対してディスプレイ部が所定の軸線に沿って所定距離スライド又は旋回可能な携帯端末において、キーボード部とディスプレイ部とのスライド機構又は旋回機構にスライドアシスト機構を設け、スライドアシスト機構を、伸び縮みが可能な柱状の弾性体、弾性体の両端部にそれぞれ揺動可能に取り付けられた、弾性体の横幅よりも大きな横幅を備えた駒部材、キーボード部のディスプレイ部との対向面に突設され、軸線方向に延伸された所定長さを備えると共に、両端側に駒部材の係止部を備えるキーボード部側突条、及びディスプレイ部のキーボード部との対向面に突設され、軸線方向に延伸された所定長さを備えると共に、両端側に駒部材の係止部を備えるディスプレイ部側突条を備えて構成し、キーボード部側突条とディスプレイ部側突条を、柱状の弾性体を収容可能な隙間を有してキーボード部とディスプレイ部に配置し、弾性体はキーボード部側突条とディスプレイ部側突条の隙間に挿入され、弾性体の隙間への挿入状態で、弾性体の両端部にそれぞれ位置する駒部材を、一方をキーボード部側突条の係止部に係止させ、他方をディスプレイ部側突条の係止部に係止させ、係止部に対して弾性体側に引っ張る吸引力と弾性体側から離れる方向に押す押圧力の何れか一方の付勢力を作用させておりキーボード部とディスプレイ部が重なり合った状態と、キーボード部に対してディスプレイ部が所定距離スライドした状態では、同じ駒部材に対してこれを係止するキーボード部側突条の係止部とディスプレイ部側突条の係止部が入れ替わるようにしたことを特徴とするものである。
【発明の効果】
【００１２】
本出願のスライドアシスト装置によれば、２つの相対的にスライドする物体、あるいは多段にスライドするロッド上の物体のスライド方向の軸線に沿った少数の部品の動きのみで、スライド時にアシスト力を発生させることができ、装置の占有空間が小さく、装置の薄型化が可能なスライドアシスト装置を提供することができる。【００１３】
また、本出願の端末装置によれば、使用時にキーボード部に対してディスプレイ部をスライドさせて伸張するスライド操作、及び収納時にキーボード部に対してディスプレイ部をスライドさせるスライド操作が、スライド機構に設けたスライドアシスト装置によって一層確実なものとなる。
【図面の簡単な説明】
【００１４】
【図１】図１Ａは従来のスライドアシスト装置を備えた携帯端末の閉じた状態を示す平面図、図１Ｂは従来のスライドアシスト装置を備えた携帯端末が閉じた状態から開いた状態に移行する途中を示す平面図、図１Ｃは従来のスライドアシスト装置を備えた携帯端末の開いた状態を示す平面図である。
【図２】図２Ａは携帯端末のスライド装置に取り付けた本出願の第１の実施形態のスライドアシスト装置の構成を示す携帯端末の分解斜視図、図２Ｂは図２Ａに示した引っ張りばねの両端に取り付ける駒部材の一実施形態の構成を示す斜視図、図２Ｃは図２Ａに示した引っ張りばねとその両端部に取り付けられる駒部材の構成を示す平面図である。
【図３】図２Ａに示した携帯端末のスライド装置に取り付けた本出願の第１の実施形態のスライドアシスト装置をスライド装置に装着した状態を示す携帯端末の分解斜視図である。
【図４】図４Ａは図３に示した携帯端末を組み立てて閉じた状態の平面図、図４Ｂは図４Ａに示した携帯端末を開いた状態の平面図である。
【図５】図５Ａは本出願のスライドアシスト装置の第１の実施形態の第１の実施例スライドアシスト動作を示す遷移図、図５Ｂは図５Ａにおけるスライドアシスト装置がスライド装置に対して与えるアシスト力の変化を示す特性図である。
【図６】図６Ａは本出願のスライドアシスト装置の第１の実施形態の第２の実施例のスライドアシスト動作を示す遷移図、図６Ｂは図６Ａにおけるスライドアシスト装置がスライド装置に対して与えるアシスト力の変化を示す特性図である。
【図７】図７Ａは本出願のスライドアシスト装置の第２の実施形態の一実施例のスライドアシスト動作を示す遷移図、図７Ｂは図７Ａに示した圧縮ばねの両端に取り付ける駒部材の一実施形態の構成を示す斜視図である。
【図８】図８Ａは本出願の第１の実施形態のスライドアシスト装置を使用するスライド式携帯電話の閉じた状態を示す正面図、図８Ｂは図８Ａの携帯電話のディスプレイ部を縦方向にスライドさせての開いた状態を示す平面図、図８Ｃは図８Ａ，図８Ｂに内蔵される本出願の第１の実施形態のスライドアシスト装置の概略構成図である。
【図９】図９Ａは本出願の第１の実施形態のスライドアシスト装置の第１の実施例の変形例を使用するスライド回転式携帯電話の閉じた状態を示す正面図、図９Ｂは図９Ａの携帯電話のディスプレイ部を回転させて開いた状態を示す平面図、図９Ｃは本出願の第１の実施形態のスライドアシスト装置の第１の実施例の変形例を使用する折り畳み式携帯電話の開いた状態を示す斜視図、図９Ｄは図９Ａ，図９Ｂ及び図９Ｃに内蔵される本出願の第１の実施形態のスライドアシスト装置の概略構成図である。
【図１０】図１０Ａは図９Ａに示したスライド回転式の携帯電話における本出願のスライドアシスト装置の具体的な構成を示す構成図、図１０Ｂは図１０Ａの状態からディスプレイ部が回転している途中の本出願のスライドアシスト装置の動作を示す図、図１０Ｃは図１０Ｂに示した状態から更にディスプレイ部を回転させて完全に開いた時の本出願のスライドアシスト装置の動作を示す図である。
【図１１】図１１Ａは本出願の第１の実施形態のスライドアシスト装置の第１の実施例の変形例を使用する卓上端末装置の閉じた状態を示す斜視図、図１１Ｂは図１１Ａの端末装置のディスプレイ部を縦方向に回転スライドさせての開いた状態を示す斜視図、図１１Ｃは図１１Ａ，図１１Ｂに内蔵される本出願の第１の実施形態のスライドアシスト装置の概略構成図である。
【図１２】本出願のスライドアシスト装置を衣料箪笥の引き出しの側面に取り付けた実施例を示す斜視図である。
【図１３】本出願のスライドアシスト装置をサーバのラックへの取付部に取り付けた実施例を示す斜視図である。
【図１４】本出願のスライドアシスト装置をロッドの伸縮部分に取り付けた実施例を示す遷移図である。
【発明を実施するための形態】
【００１５】
以下、図面を用いて本出願の好適な実施形態を説明するが、本出願の実施形態を説明する前に、図１Ａから図１Ｃを用いて一般的な携帯端末１０Ａにおけるスライドアシスト装置Ｑの構成と動作を説明する。この例の携帯端末１０Ａはスライド式であり、固定側の固定筐体１と、固定筐体１に対してスライドする可動筐体２とを備えている。固定筐体１にはキーボード４があり、稼動筐体２には表示器３がある。固定筐体１と可動筐体２の間にはスライドレール５とスライドガイド６を備えたスライド装置Ｓがある。スライドレール５は可動筐体２に設けられており、スライドガイド６は固定筐体１に設けられている。固定筐体１に対して可動筐体２を上方に移動させると、スライドレール５がスライドガイド６にガイドされて移動し、可動筐体２の下からキーボード４が出現する。
【００１６】
従来のスライドアシスト装置Ｑは、固定筐体１に対して可動筐体２が閉じている時には可動筐体２に閉じる方向の力を作用させ、固定筐体１に対して可動筐体２を上方に移動させて開く時には、可動筐体２に開く方向のアシスト力が作用するようにするものである。従来のスライドアシスト装置Ｑにより、固定筐体１に対して可動筐体２を楽に全開位置に到達させることができる。従来のスライドアシスト装置Ｑは、固定筐体１側に設けられた固定ポスト７と、可動筐体２側に設けられた移動ポスト８及び固定ポスト７と移動ポスト８との間に掛け渡された圧縮ばね９とを備えて構成される。固定筐体１と可動筐体２とが閉じた状態で、固定ポスト７は固定筐体１の高さ方向の中央部にあり、移動ポスト８は移動筐体２の高さ方向の下部にあって、圧縮ばね９は固定ポスト７と移動ポスト８との間に斜めに掛け渡されている。
【００１７】
図１Ａは、従来のスライドアシスト装置Ｑを備えた携帯端末１０Ａの閉じた状態を示すものである。この時は、圧縮ばね９は固定ポスト７と移動ポスト８とを離間させる方向に付勢しているので、固定筐体１に対して可動筐体２は自然に開くことはない。この状態から固定筐体１に対して可動筐体２を押し上げ、可動筐体２を開いていくと、移動ポスト８の移動により固定ポスト７と移動ポスト８との間の距離が縮まり、圧縮ばね９は次第に圧縮されて旋回移動する。図１Ｂは、固定筐体１に対して可動筐体２が閉じた状態と完全に開いた状態の中間の状態であり、この状態の時に圧縮ばね９は最も圧縮される。
【００１８】
図１Ｂの状態から固定筐体１に対して可動筐体２を更に開いていくと、移動ポスト８の移動により固定ポスト７と移動ポスト８との間の距離が次第に開き、この時圧縮ばね９が移動ポスト８を開く方向に付勢する。このため、可動筐体２を開く力が圧縮ばね９によってアシストされることになり、可動筐体２は図１Ｂに示す位置から図１Ｃに示す全開位置までは少ない力で開くことができる。この際、圧縮ばね９の伸び縮みの量には限界があり、通常、最長状態：最圧縮状態の長さの比は３：１〜２：１くらいである。よってこの圧縮ばね９のスライドレール５に対する角度は２０度〜３０度程度必要である。
【００１９】
ところが、以上のように構成された従来のスライドアシスト装置Ｑは、固定筐体１に対して可動筐体２を開閉する際に、図１Ａに破線で示す領域ＤＺの中を旋回移動する。したがって、表示器３の裏面側の領域ＤＺで示す領域には他の部品を配置できないという課題があった。このため、携帯端末１０Ａに必要な回路部品の実装面積が減り、その分携帯端末１０Ａを厚さ方向に延長して実装できなかった部品を筐体の厚さ方向に配置せざるを得ず、装置の厚さが増すという問題点があったのである。
【００２０】
本出願はこのような従来のスライドアシスト装置の課題を解消するためになされたものであり、小型のスライドアシスト装置を提供する。なお、以後に説明する本出願の実施の形態において、図１Ａから図１Ｃで説明した携帯端末１０Ａと同じ構成部品には同じ符号を付して説明する。図２Ａは、図１Ａから図１Ｃで説明したスライド装置Ｓに取り付けた、本出願の第１の実施形態のスライドアシスト装置Ｐの構成を示すために、携帯端末１０を分解して示すものである。
【００２１】
スライド装置Ｓは、可動筐体２に取り付けられるスライドレール５と、固定筐体１に取り付けられるスライドガイド６とを備えている。スライドレール５は、可動筐体２に取り付けられる取付部５Ｍと、スライドガイド６の中をスライドするスライド部５Ｓとを備えて構成される。一方、スライドガイド６は、固定筐体１の上に固定される基部６Ｋと、基部６Ｋからスライドレール５側に突出するように基部６Ｋに取り付けられる庇部６Ｈとを備える。スライドレール５のスライド部５Ｓはこの庇部６Ｈと固定筐体１との間の空間をスライドする。
【００２２】
本出願の第１の実施形態のスライドアシスト装置Ｐは、弾性体である引っ張りばね１９とこの引っ張りばね１９の両端部に揺動可能に取り付けられた駒部材２０と、可動筐体２の裏面に取付部２５Ｍが取り付けられる突条２５とから構成される。突条２５は、スライドガイド６から引っ張りばね１９が収容できる程度の幅を隔てて可動筐体２の裏面に取り付けられる。駒部材２０は、この実施形態では、図２Ｂに示すように、円板状の本体２３の一部を円弧状に切り欠いて切欠部２１を形成し、この切欠部２１の本体２３の外周部近傍にポスト２２を突設したものである。このポスト２２に、引っ張りばね１９のフック部１９Ｈが取り付けられる。図２Ｃは図２Ａに示した引っ張りばね１９とその両端部に取り付けられた駒部材２０の構成を示すものである。引っ張りばね１９のフック部１９Ｈは、駒部材２０のポスト２２に外れないように引っ掛けられているだけなので、駒部材２０は引っ張りばね１９に対して揺動が可能である。このように、駒部材２０としては、一部にばねがかけられる引っ掛け部（ポスト２２）を持ち、また、後述するように係止部が入れ替わる際に、転がりが良いように円形状等がよい。
【００２３】
図３は、図２Ａに示した携帯端末１０のスライド装置Ｓに、本出願の第１の実施形態のスライドアシスト装置Ｐを装着した状態を示すものである。引っ張りばね１９の両端部に取り付けられた駒部材２０の一方は、突条２５の上端部２５Ｔに係止され、他方はスライドガイド６の下端部６Ｂに係止される。この状態では、引っ張りばね１９は引っ張られた状態にある。したがって、固定筐体１に可動筐体２が重なった状態では、可動筐体２は閉じる方向の力を引っ張りばね１９から受けており、可動筐体２は固定筐体１に対して容易に開かないようになっている。
【００２４】
図４Ａは、図３に示した携帯端末１０を組み立てて閉じた状態を示しており、図４Ｂは、図４Ａに示した携帯端末１０を開いた状態を示している。本出願のスライドアシスト装置Ｐは、図４Ｂに破線Ｒで示す動作後の領域から分かるように、図４Ａに幅ＤＷで示す範囲内で動作をしており、図１Ａから図１Ｃに示した従来のスライドアシスト装置Ｑに比べて動作領域が非常に狭い。
【００２５】
本出願のスライドアシスト装置Ｐでは、図４Ａに示すように、固定筐体１に対して可動筐体２が閉じた状態では、駒部材２０の一方（上側の部材２０）は、突条２５の上端部２５Ｔに係止され、他方（下側の駒部材２０）はスライドガイド６の下端部６Ｂに係止されている。一方、固定筐体１に対して可動筐体２が開いた状態では、図４Ｂに示すように、駒部材２０の一方は、スライドガイド６の上端部６Ｔに係止されており、他方は突条２５の下端部２５Ｂに係止されている。このような本出願のスライドアシスト装置Ｐの動作を、色々な形態について以下に詳述する。
【００２６】
本出願の第１の形態のスライドアシスト装置Ｐでは、弾性体として引っ張りばね１９を使用する。まず、スライドガイド６の両端間距離をＬ１とし、突条２５の両端間距離をＬ２とした時に、両端間距離Ｌ１＝Ｌ２とした第１の実施例の場合について、図５Ａと図５Ｂを用いて説明する。ここでは、スライドアシスト装置Ｐの動作に重点をおいて説明するので、図５Ａには、スライドアシスト機構Ｐの要部のみを示してあり、固定筐体１はその一部部分のみを示すが、可動筐体２の図示は省略してある。また、駒部材２０も簡略化して図示してある。
【００２７】
この引っ張りばね１９には、断面が円形のコイルばね、断面が長円形の偏平のコイルばねを使用することができる。また、弾性体の他の実施形態としては、ゴム等の収縮力を持つ弾性体や、気体が充填されたエアーシリンダー等を使用することが可能である。
【００２８】
図５Ａには本出願の第１の形態のスライドアシスト装置Ｐの動作が、（１）から（５）までの段階的に示してある。（１）は初期状態であり、固定筐体１に対して可動筐体が閉じた状態を示すものである。図中の破線は可動側（突条２５）の可動範囲を示すものであり、一点鎖線は可動側の移動する軸線を示している。また、太線で示す矢印は可動側に働く力の大きさと向きを示している。段階（１）では、駒部材２０の一方は、突条２５の上端部２５Ｔに係止され、他方はスライドガイド６の下端部６Ｂに係止されている。駒部材２０からは、突条２５の上端部２５Ｔに対して引っ張りばね１９の初期状態の張力による下向き（閉じる向き）の力が作用している。このため、固定筐体１に対して可動筐体が閉じようとするアシスト力が働く。
【００２９】
図５Ａの段階（２）は、可動筐体が固定筐体１に対して開く方向に動いた開動作初期状態を示すものである。初期状態では、駒部材２０の一方は、突条２５の上端部２５Ｔに係止されたままであり、他方はスライドガイド６の下端部６Ｂに係止されたままである。突条２５の開方向への移動により引っ張りばね１９が伸ばされ、駒部材２０から突条２５の上端部２５Ｔに印加される付勢力が大きくなる。この時の付勢力は、引っ張りばね１９の初期状態の張力による下向き（閉じる向き）の力に引っ張りばね１９のばね定数×伸び量の付勢力が加わったものとなる。
【００３０】
図５Ａの段階（３）は、可動筐体が固定筐体１に対して開く方向に動き、全開状態の半分の状態まで開いた開動作中間状態を示すものである。中間状態では、固定側の両端面と可動側の両端面が同じ位置に並ぶので、駒部材２０の一方は、突条２５の上端部２５Ｔとスライドガイド６の上端部６Ｔの両方に係止され、他方はスライドガイド６の下端部６Ｂと突条２５の下端部２５Ｂの両方に係止される。突条２５の中間位置への移動により引っ張りばね１９は最大限伸ばされるが、中間状態では、駒部材２０は突条２５の上端部２５Ｔに下向きの付勢力を加えると共に、下端部２５Ｂにも上向きの同じ付勢力を加えている。この結果、駒部材２０から突条２５に加わる付勢力は打ち消され、ゼロになる。
【００３１】
中間状態から可動筐体が固定筐体１に対して開く方向に更に動くと、引っ張りばね１９で繋がれた駒部材２０は、駒部材２０の間の距離が短くなるようにそれぞれ元とは逆側の端面に移動する。詳しく述べると、駒部材２０の一方は、スライドガイド６の上端部６Ｔに係止されるようになり、逆に他方は突条２５の下端部２５Ｂのみに係止されるようになる。即ち、駒部材２０の一方が付勢力を印加する端部が突条２５の先端部２５Ｔからスライドガイド６の先端部６Ｔに入れ替わり、他方が付勢力を印加する端部がスライドガイド６の下端部６Ｂから突条２５の下端部２５Ｂに入れ替わる。
【００３２】
図５Ａの段階（４）は、可動筐体が固定筐体１に対して開く方向に動いた開動作後半状態を示すものである。後半状態では、駒部材２０の一方は、スライドガイド６の先端部６Ｔに係止され、他方は突条２５の下端部２５Ｂに係止されている。突条２５の開方向への移動により引っ張りばね１９は最大伸張状態よりは縮むが、初期状態よりは伸びており、駒部材２０から突条２５の下端部２５Ｂに印加される付勢力は初期状態よりも大きい。この時の付勢力は、引っ張りばね１９の初期状態の張力による上向き（開く向き）の力に、引っ張りばね１９のばね定数×伸び量の付勢力が加わったものとなる。即ち、元とは逆の方向である、可動筐体が固定筐体１に対して開く方向にアシスト力が働く。
【００３３】
図５Ａの段階（５）は、開動作終了状態であり、固定筐体１に対して可動筐体が完全に開いた状態を示すものである。段階（５）では、駒部材２０の一方は、スライドガイド６の上端部６Ｔに係止され、他方は突条２５の下端部２５Ｂに係止されている。開動作終了状態では、駒部材２０からは、突条２５の下端部２５Ｂに対して引っ張りばね１９の初期状態の張力による上向き（開く向き）の力が作用している。
【００３４】
駒部材２０の動作範囲は、両端間の重なり範囲Ａが、物理的に引っ張りばね１９の自然長より大きく初期張力が発生できる位置から、逆向きの重なり位置で同様の状態を満たす範囲までである。引っ張りばね１９の伸びは中央位置で最大（ばね長＝Ｌ１）になり、その直前で働く力も最大になる。設計する場合は、初期張力は適度な大きさ（例えば、携帯電話の場合では１００ｇｆ）かつ、中央付近の最大の力でも適度な大きさ（携帯電話の場合では２００ｇｆ）になるようにする。そして、その最大伸び時にばねが塑性変形を起こさないようにそれぞれの寸法を設計し、引っ張りばね１９のサイズを選択する。通常、引っ張りばね１９の伸びの限界は２００％〜３００％である。よって、重なり範囲Ａの最小値とスライドガイド６の両端間距離Ｌ１との比は、１：２〜１：３である。
【００３５】
図５Ｂは、図５Ａにおいて説明したスライドアシスト装置Ｐの動作における突条２５に、駒部材２０から印加される付勢力の段階的変化を示すグラフである。横軸が可動筐体が固定筐体１に対して開く方向に移動する時の段階を示しており、縦軸が駒部材２０から突条２５に印加される付勢力を示している。駒部材２０から突条２５に印加される付勢力は、可動筐体の開きがゼロの初期状態でも引っ張りばね１９の初期張力がある。また、初期状態から中間点までは駒部材２０による付勢力が可動筐体を閉じる側に作用しており、中間点を超えたらこの付勢力は反転する。可動筐体が全開した状態でも引っ張りばね１９の初期張力が働いていることが分かる。可動筐体を閉じる動作は、前述の開く動作と逆の動作となり、同様に段階（３）を境に引っ張りばね１９の駒部材２０の位置が入れ替わり、アシスト力の向きが切り替わる。
【００３６】
次に、本出願のスライドアシスト装置Ｐの第１の実施形態の第２の実施例のスライドアシスト動作を説明する。ここでは、両端間距離Ｌ１＜Ｌ２とした本出願の第１の実施形態の第２の実施例の場合について、図６Ａと図６Ｂを用いて説明する。図６Ａには本出願の第１の実施形態の第２の実施例のスライドアシスト装置Ｐの動作が、（１）から（６）までの段階で示してある。（１）は初期状態であり、固定筐体１に対して可動筐体が閉じた状態を示すものである。図中の破線は可動側（突条２５）の可動範囲を示すものである。また、太線で示す矢印は可動側に働く力の大きさと向きを示している。段階（１）では、駒部材２０の一方は、突条２５の上端部２５Ｔに係止され、他方はスライドガイド６の下端部６Ｂに係止されている。駒部材２０からは、突条２５の上端部２５Ｔに対して引っ張りばね１９の初期状態の張力による下向き（閉じる向き）の力が作用している。
【００３７】
図６Ａの段階（２）は、第１の実施例の段階（２）と同様であり、可動筐体が固定筐体１に対して開く方向に動いた開動作初期状態を示すものである。初期状態では、駒部材２０の一方は、突条２５の上端部２５Ｔに係止されたままであり、他方はスライドガイド６の下端部６Ｂに係止されたままである。突条２５の開方向への移動により引っ張りばね１９が伸ばされ、駒部材２０から突条２５の上端部２５Ｔに印加される付勢力が大きくなる。この時の付勢力は、引っ張りばね１９の初期状態の張力による下向き（閉じる向き）の力に引っ張りばね１９のばね定数×伸び量の付勢力が加わったものとなる。
【００３８】
図６Ａの段階（３）は、初期状態から可動筐体が固定筐体１に対して更に開き、駒部材２０の一方が突条２５の上端部２５Ｔからスライドガイド６の上端部６Ｔに係止された状態を示している。駒部材２０の他方は、突条２５の両端間距離Ｌ２がスライドガイド６の両端間距離Ｌ１よりも長いので、依然としてスライドガイド６の下端部６Ｂに係止されたままである。この状態では、駒部材２０は２つともスライドガイド６の両端部を付勢しており、突条２５の両端部には駒部材２０からの付勢力は印加されない。したがって、突条２５には引っ張りばね１９からの付勢力は印加されない。
【００３９】
段階（３）以後、可動筐体が固定筐体１に対して開く方向に僅かに動くと、引っ張りばね１９でつながれた駒部材２０はその距離が短くなるように一方（上側）の駒部材２０がスライドガイド６の上端部６Ｔに移動する。他方（下側）の駒部材２０はスライドガイド６の下端部６Ｂに係止されたままなので、この状態では突条２５に引っ張りばね１９の張力は働かない。ただし、突条２５に側面から駒部材２０が接触しているので、突条２５の移動時に摩擦力の抵抗力は発生する。即ち、突条２５には引っ張りばね１９からの付勢力は印加されず、無テンション状態で突条２５と駒部材２０との間に摩擦力が作用するだけである。
【００４０】
図６Ａの段階（４）は、可動筐体が固定筐体１に対して開く方向に更に動き、駒部材２０の一方は、スライドガイド６の上端部６Ｔに係止されたままであるが、他方がスライドガイド６の下端部６Ｂから突条２５の下端部２５Ｂに係止される位置付近まで来た状態を示している。可動筐体が固定筐体１に対して開く方向に更に動くと、スライドガイド６の下端部６Ｂに係止されていた他方の駒部材２０の係止が、スライドガイド６の下端部６Ｂから突条２５の下端部２５Ｂに入れ替わる。以後は駒部材２０は、図６Ａの段階（５）に示すように、突条２５の下端部２５Ｂを押し続ける。
【００４１】
図６Ａの段階（６）は、開動作終了状態であり、固定筐体１に対して可動筐体が全開した状態を示すものである。段階（６）では、駒部材２０の一方は、スライドガイド６の上端部６Ｔに係止され、他方は突条６の下端部６Ｂに係止されている。開動作終了状態では、駒部材２０からは、突条２５の下端部２５Ｂに対して引っ張りばね１９の初期状態の張力による上向き（開く向き）の力が作用している。駒部材２０の可動範囲はＬ１＝Ｌ２の時と同様に重なり部Ａが条件を満たす範囲であるが、同じサイズの引っ張りばね１９を使用しても、無テンション状態がある分だけ可動筐体の移動量を大きく取れる特徴がある。
【００４２】
図６Ｂは、図６Ａにおいて説明したスライドアシスト装置の動作における突条２５に、駒部材２０から印加される付勢力の段階的変化を示すものである。横軸が可動筐体が固定筐体に対して開く方向に移動する時の段階を示しており、縦軸が駒部材から突条に印加される付勢力を示している。駒部材から突条に印加される付勢力は、最初は可動筐体を閉じる側に作用しており、その後しばらく突条２５に対する駒部材からの付勢力がなくなる。ただし、摩擦力があるので可動筐体を開く動作の時に抵抗力がある。そして、駒部材２０の係止が突条２５の下端部２５Ｂに入れ替わった時点から逆向きの力が発生し始め、全開状態まで続く。全開状態でも初期張力があることが分かる。
【００４３】
図７Ａは、本出願のスライドアシスト装置Ｐの第２の実施形態の一実施例のスライドアシスト動作を示すものである。第２の実施形態は、弾性体として圧縮ばね９を使用するところが第１の実施形態と異なる。弾性体として圧縮ばね９を使用する場合の駒部材３０は、第２の実施形態では、図７Ｂに示すように、円板状の本体３３の上の外周部の近傍に回転ポスト３１を取り付け、この回転ポスト３１の側面にロッド３２を突設したものである。このロッド３２に、圧縮ばね９が挿通されて取り付けられる。この構成により、圧縮ばね９は駒部材３０に対して揺動できる。
【００４４】
また、第２の実施形態では、スライドガイド１６の上端部側と下端部側に、それぞれ、上溝１６Ｕと下溝１６Ｌが設けられている。一方、突条２６にも上端部側と下端部側に、それぞれ、上溝２６Ｕと下溝２６Ｌが設けられている。スライドガイド１６の上溝１６Ｕと下溝１６Ｌ及び突条２６の上溝２６Ｕと下溝２６Ｌの形状は矩形状でも良い。しかし、この実施形態では、これらの溝のうち、スライドガイド１６と突条２６の中央部側の溝の壁面には、駒部材３０からの付勢力が印加されないので、斜面に形成してある。なお、スライドガイド１６の上溝１６Ｕと下溝１６Ｌの間の距離Ｌ１と、突条２６の上溝２６Ｕと下溝２６Ｌの間の距離Ｌ２とは、この実施形態では同じとした。
【００４５】
図７Ａには本出願の第２の実施形態のスライドアシスト装置の動作が、段階（１）から段階（５）までの段階的に示してある。段階（１）は初期状態であり、固定筐体１に対して可動筐体が閉じた状態を示すものである。図中の破線は可動側（突条２６）の可動範囲を示すものであり、一点鎖線は可動側の移動する軸線を示している。また、太線で示す矢印は可動側に働く力の大きさと向きを示している。
【００４６】
図７Ａに示す段階（１）では、駒部材３０の一方（上側の駒部材３０）は、スライドガイド１６の上溝１６Ｕに係止され、他方（下側の駒部材３０）は、突条２６の下溝２６Ｌに係止されている。駒部材３０からは、スライドガイド１６の上溝１６Ｕの上端面に対して圧縮ばね９の初期状態の押圧力による上向きの力が作用し、突条２６の下溝２６Ｌの下端面に対して圧縮ばね９の初期状態の押圧力による下向き（閉じる向き）の力が作用している。
【００４７】
図７Ａの段階（２）は、可動筐体が固定筐体１に対して開く方向に動いた開動作初期状態を示すものである。初期状態では、駒部材３０の一方は、スライドガイド１６の上溝１６Ｕに係止されたままであり、他方は突条２６の下溝２６Ｌに係止されたままである。突条２６の開方向への移動により圧縮ばね９が圧縮され、駒部材３０から突条２６の下溝２６Ｌの下端面に印加される付勢力が大きくなる。この時の付勢力は、圧縮ばね９の初期状態の押圧力による下向き（閉じる向き）の力に圧縮ばね９のばね定数×縮み量の付勢力が加わったものとなる。
【００４８】
図７Ａの段階（３）は、可動筐体が固定筐体１に対して開く方向に動き、全開状態の半分の状態まで開いた開動作中間状態を示すものである。中間状態では、駒部材３０の一方は、スライドガイド１６の上溝１６Ｕと突条２６の上溝２６Ｕの両方に係止され、他方はスライドガイド１６の下溝１６Ｌと突条２６の下溝２６Ｌの両方に係止される。突条２６の中間位置への移動により圧縮ばね９は最大限収縮されるが、中間状態では、駒部材３０は突条２６の上溝２６Ｕの上端面に上向きの付勢力を加えると共に、下溝２６Ｌの下端面にも下向きの同じ付勢力を加えている。この結果、駒部材３０から突条２６に加わる付勢力は打ち消され、ゼロになる。
【００４９】
中間状態から可動筐体が固定筐体１に対して開く方向に更に動くと、駒部材３０の一方は、突条２６の上溝２６Ｕに係止されるようになり、逆に駒部材３０の他方はスライドガイド１６の下溝１６Ｌに係止されるようになる。即ち、駒部材３０の一方が付勢力を印加する部位がスライドガイド１６の上溝１６Ｕから突条２６の上溝２６Ｕに入れ替わり、駒部材３０の他方が付勢力を印加する端部が突条２６の下溝２６Ｌからスライドガイド１６の下溝１６Ｌに入れ替わる。
【００５０】
図７Ａの段階（４）は、可動筐体が固定筐体１に対して開く方向に動いた開動作後半状態を示すものである。後半状態では、駒部材３０の一方は、突条２６の上溝２６Ｕに係止され、駒部材３０の他方はスライドガイド１６の下溝１６Ｌに係止されている。突条２６の開方向への移動により圧縮ばね９は最大収縮状態よりは縮むが、初期状態よりは縮んでおり、駒部材３０から突条２６の上溝２６Ｕに印加される付勢力は初期状態よりも大きい。この時の付勢力は、圧縮ばね９の初期状態の張力による下向き（開く向き）の力に圧縮ばね９のばね定数×縮み量の付勢力が加わったものとなる。
【００５１】
図７Ａの段階（５）は、開動作終了状態であり、固定筐体１に対して可動筐体が全開した状態を示すものである。段階（５）では、駒部材３０の一方は、突条２６の上溝２６Ｕに係止され、駒部材３０の他方はスライドガイド１６の下溝１６Ｌに係止されている。開動作終了状態では、駒部材３０からは、突条２６の上溝２６Ｕに対して圧縮ばね９の初期状態の押圧力による上向き（開く向き）の力が作用している。
【００５２】
図７Ａを用いて説明した本出願の第２の実施形態のスライドアシスト装置Ｐの動作における、突条２６に駒部材３０から印加される付勢力の変化は、図５Ｂで説明した突条２５に駒部材２０から印加される付勢力の変化と同じであるので図示を省略する。また、図７Ａでは、スライドガイド１６の上溝１６Ｕと下溝１６Ｌの間の距離Ｌ１と、突条２６の上溝２６Ｕと下溝２６Ｌの間の距離Ｌ２とが同じ実施例を説明したが、距離Ｌ１より距離Ｌ２の方が長い場合の動作は第１の実施形態の第２の実施例と同様である。したがって、ここではその説明を省略する。
【００５３】
ここで、以上のように構成された本出願のスライドアシスト装置Ｐの種々の適用例について説明する。なお、以下に示す実施例では、前述の図５Ａで説明した本出願の第１の実施形態の第１の実施例のスライドアシスト装置Ｐの適用例を説明するが、以下の実施例には、本出願の第１の実施形態の第２の実施例及び第２の実施形態が適用できることは言うまでもない。
【００５４】
図８Ａは、本出願のスライドアシスト装置を使用するスライド式携帯電話４０の閉じた状態を示しており、図８Ｂは図８Ａの携帯電話４０のディスプレイ部のある可動筐体４２を、固定筐体４１に対して縦方向にスライドさせての開いた状態を示すものである。この実施例には図８Ｃに示すようなスライドガイド６、突条２５及び駒部材２０を両端に連結した引っ張りばね１９を備えたスライドアシスト装置Ｐを使用することができる。
【００５５】
図９Ａは、本出願のスライドアシスト装置を使用するスライド式携帯電話５０の閉じた状態を示しており、図９Ｂは図９Ａの携帯電話５０のディスプレイ部のある可動筐体５２を、固定筐体５１に対して回転させての開いた状態を示すものである。この実施例には図９Ｄに示すような、一点鎖線で示す軸線ＡＸが円弧状に湾曲しているスライドアシスト装置Ｐを使用することができる。軸線ＡＸが湾曲している場合でも、スライドアシスト装置Ｐは軸線ＡＸと同心円状に湾曲したスライドガイド６と突条２５、及び駒部材２０を両端に連結した引っ張りばね１９を備えて構成することができる。図９Ｄのように構成されたスライドアシスト装置Ｐは、図９Ｃに示すような固定筐体６１に対して可動筐体６２を折畳むように構成された折り畳み式携帯電話６０にも適用することができる。
【００５６】
図１０Ａは、図９Ａに示したスライド回転式の携帯電話５０における本出願のスライドアシスト装置Ｐの具体的な実施例の構成を示すものであり、携帯電話５０が閉じた状態を示している。この実施例では、固定筐体５１に対して可動筐体５２が、回転軸５３を中心にして回転するので、可動筐体５２側にスライドレールではなく、円弧状のガイド溝５４と凹部５５，５６とが設けられている。図１０Ａに示す携帯電話５０が閉じた状態では、駒部材２０が凹部５５と突条２５の下端部２５Ｂを付勢している。また、図１０Ｂに示す携帯電話５０が閉じた状態と全開状態の中間位置にある状態では、駒部材２０が凹部５５と凹部５６の位置にあって、突条２５の上端部２５Ｔと下端部２５Ｂとを付勢している。更に、図１０Ｃに示す携帯電話５０が全開した状態では、駒部材２０が凹部５６と突条２５の上端部２５Ｔを付勢している。
【００５７】
図１１Ａは、本出願のスライドアシスト装置を使用する卓上端末装置７０の閉じた状態を示しており、図１１Ｂは図１１Ａの端末装置７０のディスプレイ部のある可動筐体７２を、固定筐体７１に対して円弧状の面をスライドさせて開いた状態を示すものである。この実施例には図１１Ｃに示すような、一点鎖線で示す軸線ＡＸが円弧状に湾曲しているスライドアシスト装置Ｐを使用することができる。軸線ＡＸが湾曲している場合でも、スライドアシスト装置Ｐは軸線ＡＸと同心円状に湾曲したスライドガイド６と突条２５、及び駒部材２０を両端に連結した引っ張りばね１９を備えて構成することができる。
【００５８】
図１２は、本出願のスライドアシスト装置Ｐを、衣料箪笥８０の引き出し８２の側面と箪笥本体８１との間に取り付けた実施例を示すものである。本出願のスライドアシスト装置Ｐを、衣料箪笥８０の引き出し８２の側面と箪笥本体８１との間に取り付けると、引き出し８１を全開にする付近と、引き出し８１を全閉する間際にアシスト力が得られるので、引き出し８１が開けやすくなると共に、引き出し８１が確実に閉まるようになる。
【００５９】
図１３は、本出願のスライドアシスト装置Ｐをサーバ９６のラック９０への取付部に取り付けた実施例を示すものである。ラック９０には４本の柱９４があり、多数のサーバ９６がスライドレール９５を用いて縦方向に積み重ねられて収納される。スライドレール９５は、アウタレール９１、中間レール９２及びインナレール９３とから構成される。アウターレール９１は固定物（柱９４）に取り付けられる固定レールであり、インナーレール９３は固定物から引き出される移動体（サーバ９６）に取り付けられる。そして、中間レール９２はアウターレール９１から引き出されるインナーレール９３の引き出し長さを増やすために、アウターレール９１とインナーレール９３の間に設けられる。
【００６０】
インナーレール９３はロック機構を解除することにより、中間レール９２から取り外すことができる。サーバー９６をラック９０に取り付ける場合は、サーバー９６の両側に取り付けられたインナーレール９３を水平位置にし、インナーレール９３の後端部９３ｅを左右同時に中間レール９２の差込口９２ａにまっすぐに差し込む。このようなラック９５では、本出願のスライドアシスト装置Ｐは、例えば、アウタレール９１と中間レール９２との間に設置することができる。
【００６１】
図１４は、本出願のスライドアシスト装置Ｐを伸縮ロッド１００の伸縮部分に取り付けた実施例を示す遷移図である。伸縮ロッド１００はアウタロッド１０１の中に伸縮するインナロッド１０２が設けられたものであり、スライドアシスト装置Ｐはスライドガイド６、突条２５及び両端に駒部材２０を連結した引っ張りばね１９から構成される点は前述の実施例と同様である。突条２５の長さはインナロッド１０２の長さに基づいて決めれば良い。また、アウタロッド１０１の内壁部には、インナロッド１０２の抜けを防止するストッパ１１が設けられており、インナロッド１０２の底部にはストッパ１１に係合するフランジ１２が設けられている。
【００６２】
段階（１）は、インナロッド１０２がアウタロッド１０１に収納された状態を示すものである。また、段階（２）は、インナロッド１０２がアウタロッド１０１から引き出されて駒部材２０がスライドガイド６の両端部に係止される時の状態を示し、段階（３）は、インナロッド１０２の引き出し時に、アウタロッド１０１とインナロッド１０２との間に摩擦力のみが作用する状態を示している。そして、段階（４）は、インナロッド１０２の底部にあるフランジ１２がストッパ１１に係止され、インナロッド１０２が完全に伸びきった状態を示している。各段階におけるスライドアシスト装置Ｐの動作については、前述の実施例と同様であるのでその説明を省略する。この実施例では伸縮ロッド１００が２段であるが、３段以上の多段ロッドに対しても本出願のスライドアシスト装置Ｐは適用することができる。
【００６３】
以上説明した本出願のスライドアシスト装置Ｐによれば、軸線に沿った駒部材の動きと弾性体の作用のみで２つの筐体がスライド開閉する時のアシスト力を発生させることができると共に、スライドアシスト装置Ｐの占有する空間を減らすことが可能であるので、スライド開閉する装置の薄型化が可能になる。
【００６４】
なお、以上説明したスライドアシスト装置は一例であり、スライドレールやスライドガイドは固定筐体と可動筐体の対向面にそれぞれ突出させて設ける実施例を多く説明したが、スライドレールやスライドガイドは、図１０Ａから図１０Ｃで説明した実施例のように、固定筐体と可動筐体の対向面に溝を設けてその中に突出させ、固定筐体と可動筐体の隙間を小さくすることももちろん可能である。また、以上説明した実施例では、固定筐体にあるスライドガイドを固定筐体側の突条として使用しているが、固定筐体側の突条はスライドガイドと兼用せず、独立に設けても良いものである。
【図１Ａ】
2012132000.tif 000003
【図１Ｂ】
2012132000.tif 000004
【図１Ｃ】
2012132000.tif 000005
【図２Ａ】
2012132000.tif 000006
【図２Ｂ】
2012132000.tif 000007
【図２Ｃ】
2012132000.tif 000008
【図３】
2012132000.tif 000009
【図４Ａ】
2012132000.tif 000010
【図４Ｂ】
2012132000.tif 000011
【図５Ａ】
2012132000.tif 000012
【図５Ｂ】
2012132000.tif 000013
【図６Ａ】
2012132000.tif 000014
【図６Ｂ】
2012132000.tif 000015
【図７Ａ】
2012132000.tif 000016
【図７Ｂ】
2012132000.tif 000017
【図８Ａ】
2012132000.tif 000018
【図８Ｂ】
2012132000.tif 000019
【図８Ｃ】
2012132000.tif 000020
【図９Ａ】
2012132000.tif 000021
【図９Ｂ】
2012132000.tif 000022
【図９Ｃ】
2012132000.tif 000023
【図９Ｄ】
2012132000.tif 000024
【図１０Ａ】
2012132000.tif 000025
【図１０Ｂ】
2012132000.tif 000026
【図１０Ｃ】
2012132000.tif 000027
【図１１Ａ】
2012132000.tif 000028
【図１１Ｂ】
2012132000.tif 000029
【図１１Ｃ】
2012132000.tif 000030
【図１２】
2012132000.tif 000031
【図１３】
2012132000.tif 000032
【図１４】
2012132000.tif 000033
【国際調査報告】
2012132000.tif 000034
2012132000.tif 000035